(57)【特許請求の範囲】
【請求項１】
内部電極層と中間内部電極層とが誘電体層を介して交互に積層された素体を備える積層コンデンサであって、
前記素体の互いに対面する第１の端面および第２の端面には、第１の端子電極および第２の端子電極がそれぞれ設けられ、
前記内部電極層は、前記第１の端子電極と電気的に接続されるとともに前記第１の端面の側から前記第２の端面方向に延びる第１の内部電極と、前記第２の端子電極と電気的に接続されるとともに前記第２の端面の側から前記第１の端面方向に延びる第２の内部電極とを含み、
前記第１の内部電極および前記第２の内部電極がそれぞれ、端面から遠い側に位置する同幅の活性電極部と、前記活性電極部より幅狭であり、前記活性電極部より端面に近い側に位置する同幅の引出電極部とを含み、
前記中間内部電極層は、前記第１の端子電極および前記第２の端子電極のいずれとも接続されず、前記第１の内部電極および前記第２の内部電極との間で直列に接続された複数の容量成分を形成する第３の内部電極を含み、
前記第３の内部電極は、前記第１の内部電極の引出電極部の一部および前記第２の内部電極の引出電極部の一部と重畳するように、前記第１の端面と前記第２の端面との対面方向に延在し、かつ、前記第１の内部電極および前記第２の内部電極の前記活性電極部の幅よりも幅広の形状を有し、
前記第１の内部電極および前記第２の内部電極の前記活性電極部の幅方向における端部位置と、前記第３の内部電極の幅方向における端部位置との差が、
前記第１の内部電極または前記第２の内部電極の前記活性電極部の延在方向の端部位置と、前記第３の内部電極の延在方向の端部位置との差よりも大きい、積層コンデンサ。
【請求項２】
複数の前記内部電極層のうち、前記素体の積層方向における最も外側に位置する前記内部電極層が、前記中間内部電極層よりも前記素体の積層方向における外側に位置する、請求項１に記載の積層コンデンサ。
【発明の詳細な説明】
【技術分野】
【０００１】
本発明は積層コンデンサに関する。
【背景技術】
【０００２】
従来、電極パターンが設けられた複数の誘電体層を積層して形成される積層コンデンサが知られており、たとえば下記特許文献１に開示されている。特許文献１に開示された積層コンデンサは、内部電極層とフロート電極層とが誘電体層を介して交互に積層された素体を有しており、内部電極とフロート電極とにより直列コンデンサ成分が形成されている。
【先行技術文献】
【特許文献】
【０００３】
【特許文献１】特開平７−１３５１２４号公報
【発明の概要】
【発明が解決しようとする課題】
【０００４】
上述のような積層コンデンサを作製する際、電極パターンが形成された誘電体層を積層する工程において、積層方向に直交する方向における位置ズレ（積層ズレ）が上下に重なる誘電体層間で生じることがある。このような積層ズレは、積層コンデンサの製品間での静電容量のばらつきにつながる。特に、近年の数ギガヘルツ帯の高周波フィルタに用いられる小さい静電容量（たとえば１０ｐＦ程度）の積層コンデンサにおいては、その静電容量のばらつきの低減が、非常に重要な技術的課題となっている。
【０００５】
また、積層コンデンサの素体の端面には、端子電極がめっき形成されるが、そのめっき形成の際に用いられるめっき液が、素体内に侵入した場合には、積層コンデンサの信頼性の低下につながることが知られている。
【０００６】
本発明は、上述の課題を解決するためになされたものであり、めっき液の浸入を抑制しつつ、製品間における静電容量のばらつきの低減が図られた積層コンデンサを提供することを目的とする。
【課題を解決するための手段】
【０００７】
本発明に係る積層コンデンサは、内部電極層と中間内部電極層とが誘電体層を介して交互に積層された素体を備える積層コンデンサであって、素体の互いに対面する第１の端面および第２の端面には、第１の端子電極および第２の端子電極がそれぞれ設けられ、内部電極層は、第１の端子電極と電気的に接続されるとともに第１の端面の側から第２の端面方向に延びる第１の内部電極と、第２の端子電極と電気的に接続されるとともに第２の端面の側から第１の端面方向に延びる第２の内部電極とを含み、第１の内部電極および第２の内部電極がそれぞれ、端面から遠い側に位置する同幅の活性電極部と、活性電極部より幅狭であり、活性電極部より端面に近い側に位置する同幅の引出電極部とを含み、中間内部電極層は、第１の端子電極および第２の端子電極のいずれとも接続されず、第１の内部電極および第２の内部電極との間で直列に接続された複数の容量成分を形成する第３の内部電極を含み、第３の内部電極は、第１の内部電極の引出電極部の一部および第２の内部電極の引出電極部の一部と重畳するように、第１の端面と第２の端面との対面方向に延在し、かつ、第１の内部電極および第２の内部電極の活性電極部の幅よりも幅広の形状を有する。
【０００８】
この積層コンデンサにおいては、内部電極層と中間内部電極層との間に、第３の内部電極の幅方向に関する積層ズレが生じた場合、第１の内部電極および第２の内部電極の活性電極部の幅よりも第３の内部電極が幅広の形状を有するため、第３の内部電極の幅方向に関する積層ズレに起因する静電容量の変化を抑えることができる。また、内部電極層と中間内部電極層との間に、第３の内部電極の延在方向（すなわち、第１の端面と第２の端面との対面方向）に関する積層ズレが生じた場合でも、第１の内部電極と第２の内部電極とが同幅の活性電極部および引出電極部を含むため、第３の内部電極の延在方向に関する積層ズレに起因する静電容量の変化も抑えることができる。特に、引出電極部の幅が活性電極部の幅よりも狭くなっているため、幅狭の引出電極部が形成されていない場合に比べて、第３の内部電極の延在方向に関する積層ズレの際に、第１の内部電極と第３の内部電極との対向面積の変化および第２の内部電極と第３の内部電極との対向面積の変化が低減され、その結果、第１の内部電極、第２の内部電極および第３の内部電極で形成される、直列に接続された複数の容量成分の合成容量の変化が低減される。このように、本発明に係る積層コンデンサは、積層ズレが生じた場合であっても、静電容量の変化を抑えることができるため、製品間における静電容量のばらつき低減が実現される。
【０００９】
加えて、第１の内部電極および第２の内部電極においては、各引出電極部の幅が各活性電極部の幅よりも狭いため、素体の第１の端面および第２の端面に第１の端子電極および第２の端子電極をめっき形成する際にめっき液が浸入しにくく、めっき液の浸入による積層コンデンサの信頼性低下を抑制することができる。
【００１０】
また、第１の内部電極および第２の内部電極の活性電極部の幅方向における端部位置と、第３の内部電極の幅方向における端部位置との差が、第１の内部電極または第２の内部電極の活性電極部の延在方向の端部位置と、第３の内部電極の延在方向の端部位置との差よりも大きい態様であってもよい。この場合、第３の内部電極の延在方向における積層ズレに比べて、幅方向における積層ズレに起因する静電容量の変化を効果的に抑えることができる。
【００１１】
また、複数の内部電極層のうち、素体の積層方向における最も外側に位置する内部電極層が、中間内部電極層よりも素体の積層方向における外側に位置する態様であってもよい。中間内部電極層が、内部電極層よりも素体の積層方向における外側に位置する場合には、第１の端子電極および第２の端子電極と中間内部電極層の第３の内部電極との間で浮遊容量が生じてしまうが、上記態様にすることにより、この浮遊容量の発生を回避することができる。
【発明の効果】
【００１２】
本発明によれば、めっき液の浸入を抑制しつつ、製品間における静電容量のばらつきの低減が図られた積層コンデンサが提供される。
【図面の簡単な説明】
【００１３】
【図１】図１は、本発明の実施形態に係る積層コンデンサを示す斜視図である。
【図２】図２は、図１に示す積層コンデンサのＩＩ−ＩＩ線に沿った断面図である。
【図３】図３は、図２に示す積層コンデンサのＩＩＩ−ＩＩＩ線に沿った断面図である。
【図４】図４は、図１の積層コンデンサの素体を誘電体層ごとに展開した展開図である。
【図５】図５は、内部電極層の第１の内部電極および第２の内部電極を積層方向から見た図である。
【図６】図６は、中間内部電極層の第３の内部電極を積層方向から見た図である。
【図７】図７は、従来技術に係る積層コンデンサの内部電極層を積層方向から見た図である。
【図８】図８は、最外内部電極層を積層方向から見た図である。
【発明を実施するための形態】
【００１４】
以下、添付図面を参照して、本発明の好適な実施形態について詳細に説明する。なお、説明において、同一要素又は同一機能を有する要素には、同一符号を用いることとし、重複する説明は省略する。
【００１５】
図１〜４を参照しつつ、本発明の実施形態に係る積層コンデンサ１００の構成について説明する。図１は、積層コンデンサ１００を示す斜視図である。図２は、図１に示す積層コンデンサ１００のＩＩ−ＩＩ線に沿った断面図である。図３は、図２に示す積層コンデンサ１００のＩＩＩ−ＩＩＩ線に沿った断面図である。図４は、積層コンデンサ１００の素体１を誘電体層ごとに展開した展開図である。
【００１６】
図１に示すように、積層コンデンサ１００は、複数の長方形板状の誘電体層を積層して一体化することによって略直方体形状に構成された素体１と、第１の端子電極２および第２の端子電極３を備えている。積層コンデンサ１００は、長さ０．４〜５．７ｍｍ、幅０．２〜５．０ｍｍ、厚さ０．２〜３．２ｍｍ程度である。
【００１７】
第１の端子電極２は、素体１の長手方向（図のＸ方向）の第１の端面１ａに形成された外部電極であり、素体１の第１の端面１ａを覆うと共に、当該端面に隣接する４つの側面の一部を一体的に覆うように形成されている。また、第２の端子電極３は、第１の端面１ａに対面する反対側の端面（第２の端面）１ｂに形成された外部電極であり、素体１の第２の端面１ｂを覆うと共に、当該端面に隣接する４つの側面の一部を一体的に覆うように形成されている。
【００１８】
第１の端子電極２および第２の端子電極３は、素体１にめっき形成される。具体的には、素体１の外面にＣｕやＮｉ、あるいはＡｇ、Ｐｄ等を主成分とする導電性ペーストをディップなどによって付着させた後に所定温度（例えば、７００℃程度）にて焼き付け、更に電気めっきを施すことにより、形成される。電気めっきには、Ｎｉ、Ｓｎ等を用いることができる。第１の端子電極２および第２の端子電極３の厚さは、２０〜７００μｍ程度に設定される。
【００１９】
素体１は、図２および図３に示すように、複数の長方形板状の誘電体層６と、複数の内部電極層７および複数の中間内部電極層８とが積層された積層体として構成されている。内部電極層７と中間内部電極層８とは、素体１内において誘電体層６の積層方向（図のＺ方向）（以下、単に「積層方向」と称する。）に沿ってそれぞれ一層ずつ配置されており、少なくとも一層の誘電体層６を挟むように対向配置されている。素体１においては、内部電極層７と中間内部電極層８とは誘電体層６を介して交互に積層されている。なお、複数の内部電極層７のうち、積層方向における最も外側に位置する内部電極層を、最外内部電極層９として区別する。
【００２０】
実際には、積層コンデンサ１００の素体１における複数の誘電体層６は、互いの間の境界が視認できない程度に一体化されている。素体１は、図４に示すように、１０枚のセラミックグリーシートを重ね合わせて焼成して一体化することによって形成される。具体的には、１０枚のセラミックグリーンシートは、上から順に、電極パターンが形成されていないシート１０、最外内部電極層９の電極パターンが形成されたシート１３、中間内部電極層８の電極パターンが形成されたシート１２、内部電極層７の電極パターンが形成されたシート１１、中間内部電極層８の電極パターンが形成されたシート１２、内部電極層７の電極パターンが形成されたシート１１、中間内部電極層８の電極パターンが形成されたシート１２、内部電極層７の電極パターンが形成されたシート１１、中間内部電極層８の電極パターンが形成されたシート１２、最外内部電極層９の電極パターンが形成されたシート１３で構成されている。
【００２１】
各シート１０〜１３は、ＢａＴｉＯ３、ＣａＺｒＯ３などを主成分として構成され、その厚さ、すなわち焼成後の誘電体層６の厚さは、６〜６０μｍとされている。各シート１１〜１３の電極パターンはＮｉやＮｉ合金などの導電材を含んでおり、当該導電性材料を含む導電性ペーストの焼結体として構成される。
【００２２】
次に、内部電極層７の電極パターンおよび中間内部電極層８の電極パターンについて、図５および図６を参照しつつ説明する。
【００２３】
図５に示すように、内部電極層７の電極パターンは、一対の内部電極２０、３０（第１の内部電極２０および第２の内部電極３０）によって構成されている。これらの内部電極２０、３０は、いずれもＴ字形状を有しており、所定長さだけ離間された状態で、シート１１上において第１の端面１ａと第２の端面１ｂとの対面方向に直交する方向（図のＹ方向）（以下、「幅方向」と称す。）に横断する中心線に関して線対称に配置されている。
【００２４】
第１の内部電極２０は、素体１の第１の端面１ａ側に位置し、第１の端子電極２と電気的に接続されるとともに第１の端面１ａから第２の端面１ｂ側に延びている。第１の内部電極２０は、第１の端面１ａから遠い側に位置する活性電極部２１と、活性電極部２１より第１の端面１ａに近い側に位置する引出電極部２２とで構成されている。
【００２５】
活性電極部２１は、矩形形状を有し、幅方向における幅が一定幅ｗ１となっている。引出電極部２２も、矩形形状を有し、幅方向における幅が一定幅ｗ２となっている。この引出電極部２２の幅ｗ２は、活性電極部２１の幅ｗ１よりも狭く（すなわち、ｗ２＜ｗ１）設計されている。
【００２６】
第２の内部電極３０は、素体１の第２の端面１ｂ側に位置し、第２の端子電極３と電気的に接続されるとともに第２の端面１ｂから第１の端面１ａ側に延びている。第２の内部電極３０は、第２の端面１ｂから遠い側に位置する活性電極部３１と、活性電極部３１より第２の端面１ｂに近い側に位置する引出電極部３２とで構成されている。
【００２７】
活性電極部３１は、第１の内部電極２０の活性電極部２１と同様の矩形形状を有し、かつ、活性電極部２１と同幅の一定幅ｗ１となっている。引出電極部３２は、第１の内部電極２０の引出電極部２２と同様の矩形形状を有し、引出電極部２２と同幅の一定幅ｗ２となっている。
【００２８】
図６に示すように、中間内部電極層８の電極パターンは、シート１２の中央に配置された第３の内部電極４０によって構成されている。第３の内部電極４０は、第１の端子電極２および第２の端子電極３とは接続されておらず、これらの電極２、３のいずれとも電気的絶縁が図られている。また、第３の内部電極４０は、矩形形状を有し、第１の端面１ａと第２の端面１ｂとの対面方向に延びている。第３の内部電極４０は、一定幅ｗ３となっており、この幅ｗ３は、第１の内部電極２０および第２の内部電極３０の活性電極部２１、３１の幅ｗ１よりも広く（すなわち、ｗ３＞ｗ１）設計されている。
【００２９】
この第３の内部電極４０の延在方向における長さは、第１の内部電極２０の活性電極部２１および第２の内部電極３０の活性電極部３１を覆い、さらに、第１の内部電極２０の引出電極部２２の一部２２ａおよび第２の内部電極３０の引出電極部３２の一部３２ａに掛かる長さに設計されている。そのため、第３の内部電極４０は、第１の内部電極２０の活性電極部２１および第２の内部電極３０の活性電極部３１に重畳し、かつ、第１の内部電極２０の引出電極部２２の一部２２ａおよび第２の内部電極３０の引出電極部３２の一部３２ａと重畳する。
【００３０】
それにより、第３の内部電極４０は、第１の内部電極２０および第２の内部電極３０との間で直列に接続された２つ容量成分を形成する。具体的には、第３の内部電極４０は、第１の内部電極２０と対向する対向領域において静電容量Ｃ１の容量成分を形成し、第２の内部電極３０と対向する対向領域において静電容量Ｃ２の容量成分を形成し、これらの容量成分が直列に接続されて合成容量Ｃ（＝Ｃ１×Ｃ２／（Ｃ１＋Ｃ２））を形成する。
【００３１】
また、第３の内部電極４０の位置および寸法は、第１の内部電極２０および第２の内部電極３０の位置および寸法に対して、第１の内部電極２０および第２の内部電極３０の活性電極部２１、３１の幅方向における端部位置と第３の内部電極４０の幅方向における端部位置との差ｄ１が、第１の内部電極２０（または第２の内部電極３０）の活性電極部２１（または活性電極部３１）の延在方向の端部位置と第３の内部電極４０の延在方向の端部位置との差ｄ２よりも大きく（すなわち、ｄ１＞ｄ２）設計されている。
【００３２】
以上で説明した構成を有する積層コンデンサ１００においては、内部電極層７と中間内部電極層８との間に幅方向（Ｙ方向）に関する積層ズレが生じた場合、第１の内部電極２０および第２の内部電極３０の活性電極部２１、３１の幅ｗ１よりも第３の内部電極４０が幅広の形状（幅ｗ３）を有するため、幅方向における端部位置の差ｄ１の分だけ積層ズレを許容することができ、第３の内部電極４０の幅方向に関する積層ズレに起因する静電容量の変化を抑えることができる。
【００３３】
一方、図７に示す従来技術のように、第１の内部電極２０’および第２の内部電極３０’と、第３の内部電極４０’とにおいて、幅方向における端部位置が一致する場合には、上記積層ズレも許容することができず、その結果、積層ズレに伴う対向面積の減少が生じて静電容量が大きく低減してしまう。
【００３４】
また、内部電極層７と中間内部電極層８との間に延在方向（Ｘ方向）に関する積層ズレが生じた場合でも、第１の内部電極２０と第２の内部電極３０とが同幅ｗ１の活性電極部２１、３１および同幅ｗ２の引出電極部２２、３２を含むため、第３の内部電極４０の延在方向に関する積層ズレに起因する静電容量の変化も抑えることができる。すなわち、延在方向に関する積層ズレにより、第１の内部電極２０および第２の内部電極３０のいずれか一方に、第３の内部電極４０との対向面積の減少が生じた場合でも、他方の内部電極ではその減少した面積の分だけ対向面積が増加（補償）するため、静電容量の変化が効果的に抑制されている。
【００３５】
特に、引出電極部２２、３２の幅ｗ２が活性電極部２１、３１の幅ｗ１よりも狭いため、第３の内部電極４０の延在方向に関する積層ズレの際に、第１の内部電極２０と第３の内部電極４０との対向面積および第２の内部電極３０と第３の内部電極４０との対向面積の変化が低減される。すなわち、引出電極部２２、３２の幅ｗ２を活性電極部２１、３１の幅ｗ１に対して幅狭化（ｗ２＜ｗ１）することで、積層ズレ（たとえばΔｌのズレ量）による対向面積の変化量（Δｌ×ｗ２）が、幅狭化されていないときの対向面積の変化量（Δｌ×ｗ１）に比べて効果的に低減されている。そのため、第１の内部電極２０と第３の内部電極４０とで形成される静電容量Ｃ１の変化量が低減されるとともに、第２の内部電極３０と第３の内部電極４０とで形成される静電容量Ｃ２の変化量が低減され、結果として、これらの合成容量Ｃの変化量も低減される。
【００３６】
なお、図７に示す従来技術のように、第１の内部電極２０’および第２の内部電極３０’が延在方向に亘って均一幅であり、幅狭の引出電極部が形成されていない場合には、第３の内部電極４０’の延在方向に関する積層ズレの際、引出電極部が狭小化されている上記態様に比べて対向面積の変化量が大きくなり、それにより合成容量Ｃが大きく変化してしまう。
【００３７】
以上で詳細に説明したように、積層コンデンサ１００においては、積層ズレが生じた場合であっても、静電容量の変化を抑えることができるため、製品間における静電容量のばらつき低減が実現されている。
【００３８】
また、第１の内部電極２０および第２の内部電極３０においては、各引出電極部２２、３２の幅ｗ２を各活性電極部２１、３１の幅ｗ１よりも狭くすることで、素体１表面からの離隔化が図られている。そのため、素体１の第１の端面１ａおよび第２の端面１ｂに第１の端子電極２および第２の端子電極３をめっき形成する際に、めっき液が素体１内に浸入しにくくなっており、めっき液の浸入による積層コンデンサ１００の信頼性低下が抑制されている。
【００３９】
その上、図６に示すように、第１の内部電極２０（または第２の内部電極３０）と第３の内部電極４０との位置関係に関し、幅方向に関する端部位置の差ｄ１が、延在方向に関する端部位置との差ｄ２よりも大きいため、第３の内部電極４０の延在方向における積層ズレに比べて、幅方向における積層ズレに起因する静電容量の変化を効果的に抑えることができる。上述したとおり、延在方向に関する積層ズレは、第１の内部電極２０および第２の内部電極３０との間で対向面積が相互補償されるが、幅方向に関する積層ズレは、そのような対向面積の相互補償がないため、幅方向に関する積層ズレに対する許容長さ（ｄ１）を長くすることが好ましい。
【００４０】
図８に示すように、最外内部電極層９の電極パターンは、一対の最外内部電極５０、６０（第４の内部電極５０および第５の内部電極６０）によって構成されている。これらの内部電極５０、６０は、所定長さだけ離間された状態で、シート１３上において幅方向に横断する中心線に関して線対称に配置されており、いずれも矩形形状を有している。第４の内部電極５０および第５の内部電極６０はいずれも、幅方向における幅が一定幅ｗ４となっており、この幅ｗ４は、第３の内部電極４０の幅ｗ３より広く（すなわち、ｗ４＞ｗ３）設計されている。
【００４１】
第４の内部電極５０は、第１の内部電極２０同様、素体１の第１の端面１ａ側に位置し、第１の端子電極２と電気的に接続されるとともに第１の端面１ａから第２の端面１ｂ側に延びている。第５の内部電極６０は、第２の内部電極３０同様、素体１の第２の端面１ｂ側に位置し、第２の端子電極３と電気的に接続されるとともに第２の端面１ｂから第１の端面１ａ側に延びている。
【００４２】
ここで、積層コンデンサ１００の素体１の端面１ａ、１ｂに形成される端子電極２、３は、素体１内に形成された内部電極との間に、浮遊容量を形成する。特に、素体１の側面に回り込んだ部分の端子電極２、３と、第３の内部電極４０との間で、浮遊容量が生じやすい。そのため、中間内部電極層８が、内部電極層７よりも素体１の積層方向における外側に位置する場合には、第１の端子電極２および第２の端子電極３と中間内部電極層８の第３の内部電極４０との間で浮遊容量が生じてしまう。
【００４３】
そこで、積層コンデンサ１００においては、最外内部電極層９を、素体１の最上層および最下層に配置することで、上記浮遊容量の抑制が図られている。すなわち、最外内部電極層９の内部電極５０、６０は、同じ極性の端子電極２、３と電気的に接続されているため、端子電極２、３との間に浮遊容量を生じさせず、より一層の製品間における静電容量ばらつきの低減が図られている。特に、第４の内部電極５０および第５の内部電極６０の幅ｗ４が、第３の内部電極４０の幅ｗ３よりも広く設計されているため、端子電極２、３と第３の内部電極４０との間に浮遊容量が生じる事態が効果的に抑制されている。
【符号の説明】
【００４４】
１００…積層コンデンサ、１…素体、１ａ…第１の端面、１ｂ…第２の端面、２…第１の端子電極、３…第２の端子電極、６…誘電体層、７…内部電極層、８…中間内部電極層、９…最外内部電極層、２０…第１の内部電極、２１、３１…活性電極部、２２、３２…引出電極部、３０…第２の内部電極、４０…第３の内部電極、５０…第４の内部電極、６０…第５の内部電極。
【図１】
0005278476.tif 000002
【図２】
0005278476.tif 000003
【図３】
0005278476.tif 000004
【図４】
0005278476.tif 000005
【図５】
0005278476.tif 000006
【図６】
0005278476.tif 000007
【図７】
0005278476.tif 000008
【図８】
0005278476.tif 000009